(57)【特許請求の範囲】
【請求項１】
基地局と移動局を含む移動通信システムにおける前記基地局と前記移動局の少なくとも一方の局の送信電力制御装置において、
受信SIR（希望信号対干渉信号電力比）を測定する手段と、
前記受信SIRの測定結果と、予め定められているSIRの目標値とを比較する手段と、
前記比較結果に基づき対向局に対して送信電力制御情報を発する手段と、
対向局から送信された送信電力制御情報を受信、復調する手段と、
前記復調された送信電力制御情報に従い、自局の送信電力を制御する手段と、
受信信号に含まれるCRC（cyclic redundancy check）ビットに基づいて、フレーム誤りの有無の検出を行う手段と、
所定のフレーム数における前記フレーム誤りの移動平均値を求める手段であって、前記移動平均値は、フレーム番号ｎのフレーム誤りの移動平均値FER（ｎ）を
FER（ｎ）＝α×FER（ｎ−１）＋（１−α）×ERR
ただし、α：忘却係数、ERR:n番目のフレームのエラーの有無で、エラー無の場合は０、エラー有りの場合は１
を算出することにより求める手段と、
前記測定されたフレーム誤りの移動平均値と、予め定められているフレーム誤りの移動平均値の設定値とを、前記所定のフレーム数の周期とは独立に比較する手段と、
その比較結果に基づいて前記SIRの目標値を変化させる手段と
を具備することを特徴とする送信電力制御装置。
【請求項２】
請求の範囲１記載の送信電力制御装置において、前記受信SIRの目標値を変化させる手段は、
測定されたフレーム誤りの移動平均値が設定値よりも小さい場合には、SIRの目標値を予め定められているステップ幅だけ小さくするように指示を行い、フレーム誤りの移動平均値が設定値よりも大きい場合には、予め定められているステップ幅だけSIRの目標値を大きくするように指示を行うことを特徴とする送信電力制御装置。
【発明の詳細な説明】
技術分野
本発明はディジタル無線通信、特にCDMA（符号分割多元接続）方式を適用する移動通信において用いられる送信電力制御装置に関するものである。
背景技術
CDMA方式においては、同一の周波数帯域を複数の通信者が共有するために他の通信者の信号が干渉信号となり自分のチャネルの通信品質を劣化させる。基地局の近くの移動局と遠くの移動局が同時に通信を行う場合、基地局において近くの移動局からの送信信号は高電力で受信され、遠くの移動局からの送信信号は低電力で受信される。
従って、遠くの移動局と基地局との通信は近くの移動局からの干渉を受けて回線品質が大きく劣化する問題点、即ち遠近問題が生じる。遠近問題を解決する技術として従来から送信電力制御の検討が行われてきた。送信電力制御とは受信局が受信する受信電力、またはその受信電力から求められる希望波対干渉波電力比（SIR:Signal−to−Interference plus Noise power Ratio）が移動局の所在位置によらず一定になるように送信電力を制御するもので、これによりサービスエリア内で均一の回線品質が得られる。特に上りチャネルに対しては、基地局受信端において各移動局からの送信信号の受信電力、または受信SIRが一定となるように各移動局の送信電力制御を行う。他の通信者からの干渉信号を白色化雑音とみなすCDMA方式では、他の通信者が多い場合には等価的に雑音電力が増えた場合に相当し、この場合、同一セル内の加入者容量は所要回線品質を得ることができる受信SIRによる。
一方、下りチャネルに関しては、自チャネルの信号も他の通信者の干渉となる信号も同一の伝搬路を通るため、自チャネルの信号と長区間変動、短区間変動、瞬時変動等が同一の変動をなし、雑音電力を除く受信SIRが常に一定である。
従って、同一セルの干渉のみを扱う場合には送信電力制御は必要ない。しかし、干渉白色化でCDMAでは隣接セルについても同一の周波数帯域を用いて通信を行うために他セルからの干渉も考慮しなければならない。他セルからの干渉電力はセル内の干渉電力と等しくレイリーフェージングによる瞬時変動となるが、自局希望波信号とは同一の変動とはならないため、瞬時変動に追従する送信電力制御が必要になる。
瞬時変動に追従する送信電力制御方式として送信電力制御ビットを用いたクローズドループによる送信電力制御方式がある。基地局と基地局のセル内にいる移動局が通信する場合に、移動局は基地局からの希望波の受信SIRを測定し、測定結果に基づき基地局の送信電力を制御するための送信電力制御ビットを決定する。移動局は送信信号の中に送信電力制御ビットを挿入し、基地局に対して送信する。基地局は移動局から送信された信号を受信し、送信電力制御ビットを抽出し、送信電力制御ビットの指示に従い送信電力を決定する。また、基地局は移動局からの希望波の受信SIRを測定し、測定結果に基づき移動局の送信電力を制御するための送信電力制御ビットを決定する。基地局は送信信号の中に送信電力制御ビットを挿入し、移動局に対して送信する。移動局は基地局から送信された信号を受信し、送信電力制御ビットを抽出し、送信電力制御ビットの指示に従い送信電力を決定する。
送信電力制御を行う目的は、チャネルの回線品質（FER:フレームエラーレート、あるいはBER:ビットエラーレート）を所要の品質に保つことである。
図１にマルチパス数をパラメータとした最大ドップラー周波数と所要の回線品質を達成するのに必要な受信SIRの関係を示す。所要の回線品質を達成するのに必要な受信SIRは、移動局の移動速度、すなわちフェージングの最大ドップラー周波数や、マルチパス数等の伝搬環境により異なっている。このため、従来の受信SIR測定に基づく送信電力制御では、最悪の回線品質となる伝搬環境のときの受信SIRを目標値として設定する必要があり、良好な特性を得られる伝搬環境のときに過大な送信電力で送信するという問題点があった。また、受信SIRの測定精度が低いときには、誤った測定結果に従って送信電力制御を行うために適正な送信電力で送信できないという問題点もあった。
発明の開示
前記問題点を解決するために、本発明では、伝搬環境、受信SIR測定精度に関係なく同一の回線品質を提供する送信電力制御を実現することを目的としている。
上記目的を達成するため、本発明は、基地局と移動局を含む移動通信システムにおける前記基地局と前記移動局の少なくとも一方の局の送信電力制御装置において、
受信SIR（希望信号対干渉信号電力比）を測定する手段と、
前記受信SIRの測定結果と、予め定められているSIRの目標値とを比較する手段と、
前記比較結果に基づき対向局に対して送信電力制御情報を発する手段と、
対向局から送信された送信電力制御情報を受信、復調する手段と、
前記復調された送信電力制御情報に従い、自局の送信電力を制御する手段と、
受信信号に含まれるCRC（cyclic redundancy check）ビットに基づいて、フレーム誤りの有無の検出を行う手段と、
所定のフレーム数における前記フレーム誤りの移動平均値を求める手段であって、前記移動平均値は、フレーム番号ｎのフレーム誤りの移動平均値FER（ｎ）を
FER（ｎ）＝α×FER（ｎ−１）＋（１−α）×ERR
ただし、α：忘却係数、ERR:n番目のフレームのエラーの有無で、エラー無の場合は０、エラー有りの場合は１
を算出することにより求める手段と、
前記測定されたフレーム誤りの移動平均値と、予め定められているフレーム誤りの移動平均値の設定値とを、前記所定のフレーム数の周期とは独立に比較する手段と、
その比較結果に基づいて前記SIRの目標値を変化させる手段と
を具備する。
また、前記受信SIRの目標値を変化させる手段は、
測定されたフレーム誤りの移動平均値が設定値よりも小さい場合には、SIRの目標値を予め定められているステップ幅だけ小さくするように指示を行い、フレーム誤りの移動平均値が設定値よりも大きい場合には、予め定められているステップ幅だけSIRの目標値を大きくするように指示を行うことができる。
このように、FERまたはBERを測定し受信SIRの目標値を変化させるため、受信SIRの測定精度の影響を受けずに送信電力制御を行うことができる。
【図面の簡単な説明】
図１は、マルチパス数をパラメータとした最大ドップラー周波数と所要の回線品質を達成するのに必要な受信SIRの関係を示す図である。
図２は、本発明の送信電力制御装置の原理を説明する図である。
図３は、送信電力制御装置の一実施例を示す図である。
図４は、送信電力制御装置の他の実施例を示す図である。
発明を実施するための最良の形態
図面を参照して、本発明の実施形態を説明する。
図２を用いて本発明の原理を説明する。図２は、移動通信システムにおける基地局または移動局内の送受信装置の本発明に関係ある部分のブロック図である。
図２において、受信された信号は、無線受信部３において、ベースバンドの信号とされた後、A/D変換されてデジタル信号となる。このデジタル信号は、復号部31において、逆拡散等の処理が行われ、デジタルの情報に復号化される。
この復号部31からの信号を用いて、希望波対干渉波電力比（SIR:Signal−to−Interference plus Noise power Ratio）をSIR測定部６において計測する。このSIR測定部６からの測定値である受信SIRは、目標SIR決定部からの目標SIRとSIR比較部７において比較される。その結果、受信SIRが目標SIRよりも小さな場合には、送信電力の増加を指示する制御ビットを、受信SIRが目標SIRよりも大きい場合には、送信電力の減少を指示する送信電力制御ビットを送信電力制御ビット決定部13より発生する。この発生した送信電力制御ビットは、相手局に送信され、相手局の送信電力を制御する。この制御は、従来の送信電力制御と同様である。本発明においては、前述の目標SIR値を受信信号の誤り率を受信信号誤り測定部32により測定して、この誤り率により目標SIRを目標SIR決定部12により変更しようとするものである。この受信信号の誤りには、送られてくるフレーム単位に付与されている誤り検出符号であるCRC信号を用いて、フレーム単位で受信信号の誤り率を検出することもできる。また、一定周期で挿入されている既知のパイロット信号の誤りを検出することで、受信信号の誤り率を検出することもできる。
図３は本発明の送信電力制御装置を組み込んだ送受信装置の一実施例を示している。
図３において、１はアンテナ、２は送受分離部、３は受信無線部、４は逆拡散部、５は同期検波/RAKE合成部、６はSIR測定部、７はSIR比較部、８はビタビ復号部、９はCRC検出部、10はFER測定部、11はFER比較部、12は目標SIR決定部、13は送信電力制御ビット決定部、14は信号発生部、15は符号化部、16は変調部、17は拡散部、18は送信無線部、19は送信電力制御ビット抽出部、20は送信電力制御部を示している。
次に、本装置が移動局として用いられる場合の動作について述べる。基地局から送信されたスペクトル拡散信号はアンテナ１で受信される。受信信号は送受分離部２を経由し、受信無線部３に入力される。受信無線部３において、受信信号は帯域通過フィルタ（BPF）を通過し、帯域外成分を除去した後、増幅器で増加された後、局部発振器発生のクロックにより中間周波数帯（IF帯）に周波数変換される。IF帯に周波数変換された受信信号はBPF通過後、自動利得制御回路（AGC）により適正な信号レベルに補正された後、準同期検波されベースバンドに周波数変換される。ベースバンドに周波数変換された受信信号は低域通過フィルタ（LPF）通過後アナログ−ディジタル変換（A/D変換）されディジタル信号となり出力される。
受信無線部３から出力された受信ディジタル信号は逆拡散部４において拡散を取り除かれ狭帯域の変調信号として出力される。逆拡散部４から出力された信号は同期検波/RAKE合成部５において復調、RAKE合成され、SIR測定部６において、予め定められている測定周期毎に受信SIRの測定が行われる。また、送信電力制御ビットは、送信電力制御ビット抽出部19において抽出され、送信電力制御部20へ出力される。
送信電力制御部20において、送信電力制御ビットに基づき送信電力を決定し、制御情報を送信無線部18に出力する。また、同期検波/RAKE合成部５において復調、RAKE合成された受信信号はビタビ復号部８においてビタビ復号され、情報信号として出力される。CRC検出部９においてビタビ復号された情報信号の中からCRCビットが検出される。CRCビットの検出ができなかった場合には、FER測定部10にフレーム誤り検出信号を出力する。
FER測定部10において任意の測定期間（SIR測定部６におけるSIRの測定周期よりもはるかに長い）におけるフレーム誤り数をカウントし、FERの測定結果をFER比較部11に出力する。FER測定部10ではフレーム誤り率のある期間内における平均を測定していることになる。FER比較部11において予め設定されている目標FERとの比較を行う。そして、FER比較部11は、FERの測定値が目標FERよりも小さい場合には目標SIR決定部12に対して目標SIRを小さくするように指示を行い、FERの測定値が目標FERよりも大きい場合には目標SIR決定部12に対して目標SIRを大きくするように指示を行う。
上述のFER測定部10における測定は、一定の測定期間ごとに平均を求めて、測定結果を得ている。しかし、FERの測定に移動平均を用いることにより、FERの誤りを求める平均時間と目標SIRの制御周期とを非同期とすることができる。
FERの移動平均は、
FER（ｎ）＝α×FER（ｎ−１）＋（１−α）ERR
で求められる。ここで、ｎはフレーム番号、αは忘却係数、ERRはCRC検出結果、すなわち現在のｎ番目のフレームが正常に検出された場合は０、エラーの場合は１である。
したがって、上述FERの移動平均の式において、
α＝0.9
とすると、現在のフレームのCRC検出結果は0.1の重さで加算され、移動平均のFERを求めることができる。これは、10フレームのFERの平均を１フレーム移動するごとに求めていることに相当する。
このように、移動平均の考え方によりFER測定部10の測定を行うことで、SIRの目標値の制御を平均を求める周期とは独立に定めることができる。したがって、例えば、FERの測定は1000フレームの平均を
α＝0.999
と設定することで求め、SIRの目標値の設定制御は、100フレームごとに行うことも可能となる。
目標SIRを変更させるときには、目標値をダイナミックに変更する方法の他に、予め定められているステップ幅だけ増減させることも可能である。これは、FER比較部11におけるFERの測定値が目標FERよりも小さい場合に、目標SIR決定部12に対して目標SIRを所定値（ステップ幅）だけ小さくするように指示を行い、FERの測定値が目標FERよりも大きい場合に目標SIR決定部12に対して前記所定値（ステップ幅）だけ目標SIRを大きくするように指示を行う。
SIR比較部７において、FERの測定周期毎に更新される目標SIRとSIR測定部６において測定された受信SIRとの比較を行い、その比較結果に基づいて、送信電力制御ビット決定部13において、受信SIRが目標SIRよりも小さい場合には、送信電力の増加を指示する制御ビットを、受信SIRが目標SIRよりも大きい場合には、送信電力の減少を指示する制御ビットを発生し、信号発生部14に出力する。
信号発生部14において、送信電力制御ビット決定部13から送られた送信電力制御ビットを含めた送信フレームの構成を行い、符号化部15に出力する。符号化された送信信号は変調部16で変調、拡散部17で拡散された後、送信無線部18に出力される。送信無線部18において、IF,RF帯に周波数変換された送信信号は送信電力制御部20から出力される制御情報に基づいた送信電力で送信される。
図４は本発明の送信電力制御装置の他の実施例を組み込んだ送受信装置を示す。図４において、21はパイロット信号検出部、22はビットエラーレート（BER）測定部、23はBER比較部を示している。なお、図２と同じ構成には、同じ符号を付した。
本実施例では目標SIRの決定をパイロット信号のビットエラーレート（BER）により行う。即ち、パイロット信号検出部21において基地局、移動局のどちらにおいても既知であるパイロット信号を逆拡散後の信号から検出し、検出された信号が既知の信号と異なっている場合にはビット誤り検出情報をBER測定部22に出力する。
BER測定部22において任意の測定期間（SIR測定部６におけるSIRの測定周期よりもはるかに長い）におけるパイロット信号の誤り数をカウントし、BERの測定結果をBER比較部23に出力する。BER測定部22にはパイロット信号の誤り率のある期間内における平均を測定していることになる。BER比較部23において予め設定されている目標BERとの比較を行う。その結果、BER比較部23は、目標SIR決定部12に対して目標SIR値の変更を指示する。
上述のFER測定の場合と同様に、BER測定部22における測定は、一定の測定期間ごとに平均を求めて、測定結果を得ている。しかし、BERの測定においても移動平均を用いることにより、、上述と同様に、BERの誤りを求める平均時間と目標SIRの制御周期とを非同期とすることができる。
BERの移動平均は、
BER（ｎ）＝α×BER（ｎ−１）＋（１−α）ERR
で求められる。ここで、ｎはフレーム番号αは忘却係数、ERRはパイロット信号のエラー検出結果、すなわち現在のｎ番目のフレームのパイロット信号が正常に検出された場合は０、エラーの場合は１である。
目標SIRを変更させるときには、目標値をダイナミックに変更する方法の他に、予め定められているステップ幅だけ増減させることも可能である。これは、BERの測定値が目標BERよりも小さい場合に目標SIR決定部12に対して目標SIRを所定値（ステップ幅）小さくするように指示を行い、BERの測定値が目標BERよりも大きい場合に目標SIR決定部12に対して目標SIRを所定値（ステップ幅）大きくするように指示を行う。
産業上の利用可能性
以上詳細に説明したように、伝搬環境、受信SIR測定精度に関係なく同一の回線品質を提供する送信電力制御を実現することが可能である。
【図１】
0003660690.tif 000002
【図２】
0003660690.tif 000003
【図３】
0003660690.tif 000004
【図４】
0003660690.tif 000005